(57)【要約】【課題】ディスクチェンジャ付のドライブ装置において、予め登録された着脱可能な記録媒体に対するデータアクセス処理および現在装着部に装着されている着脱可能な記録媒体に対するデータアクセス処理のいずれもを実行可能とするドライブ装置を提供する。【解決手段】レコーダ装置１００ｂに備えられたドライブ部３００ｂは、指定ディスク上の特定の領域に対してデータを書き込む命令を取得したときには、記憶部３４０ｂにデータを書き込むと共に、データを書き込んだ記憶部３４０ｂ上の領域と指定ディスク上の特定の領域とを関連付けて記録し、指定されたトレイに装着された装着ディスク上の特定の領域に対してデータを書き込む命令を取得したときには、データを装着ディスク上の特定の領域にデータを書き込むドライブ制御部３２０ｂを備えている。【選択図】図１
2010238342.tif 000002
【特許請求の範囲】
【請求項１】
着脱不可能な記録媒体を有しており、かつ、着脱可能な記録媒体を装着する装着部を複数備えているドライブ装置であって、
予め登録された複数の着脱可能な記録媒体のいずれかを指定する媒体指定情報により指定された指定媒体上の特定の領域に対してデータを書き込む第１の書き込み命令に応じて、書き込むべきデータを上記着脱不可能な記録媒体に書き込むと共に、当該データを書き込んだ上記着脱不可能な記録媒体上の領域を、上記媒体指定情報および上記指定媒体上の特定の領域に関連付けて記録する第１の書込手段と、
複数の上記装着部のいずれかを指定する装着部指定情報により指定された装着部に装着されている装着媒体上の特定の領域に対してデータを書き込む第２の書き込み命令に応じて、書き込むべきデータを上記装着媒体上の特定の領域に書き込む第２の書込手段と、
を備えていることを特徴とするドライブ装置。
【請求項２】
上記第２の書込手段は、上記書き込むべきデータを、上記装着媒体上の特定の領域に加えて上記着脱不可能な記録媒体に書き込むと共に、上記装着部指定情報と当該データを書き込んだ上記着脱不可能な記録媒体上の領域と上記装着媒体上の特定の領域とを互いに関連付けて記録することを特徴とする請求項１に記載のドライブ装置。
【請求項３】
上記指定媒体が上記装着部に装着されたとき、上記着脱不可能な記録媒体に書き込まれたデータを上記指定媒体上の特定の領域に書き込む同期手段をさらに備えていることを特徴とする請求項１または２に記載のドライブ装置。
【請求項４】
上記媒体指定情報により指定された指定媒体上の特定の領域からデータを読み出す読み出し命令に応じて、上記指定媒体上の特定の領域に関連付けられた上記着脱不可能な記録媒体上の領域からデータを読み出す第１の読出手段と、
上記装着部指定情報により指定された装着部に装着されている装着媒体上の特定の領域からデータを読み出す読み出し命令に応じて、上記装着部指定情報により指定される装着部に装着されている装着媒体上の特定の領域からデータを読み出す第２の読出手段と、
をさらに備えていることを特徴とする請求項１から３のいずれか１項に記載のドライブ装置。
【請求項５】
上記第２の読出手段は、上記装着部指定情報により指定された装着部に装着されている装着媒体上の特定の領域に上記着脱不可能な記録媒体上の領域が関連付けられており、かつ、上記着脱不可能な記録媒体からのデータの読み出し速度が着脱可能な記録媒体からのデータの読み出し速度よりも速い場合には、当該着脱不可能な記録媒体上の領域からデータを読み出すことを特徴とする請求項４に記載のドライブ装置。
【請求項６】
請求項１から５のいずれか１項に記載のドライブ装置を備えたコンテンツ記録再生装置であって、上記第１の書き込み命令を上記ドライブ装置に供給することにより、コンテンツを上記指定媒体に記録するか、または上記第２の書き込み命令を上記ドライブ装置に供給することにより、コンテンツを上記装着媒体に記録することを特徴とするコンテンツ記録再生装置。
【請求項７】
着脱不可能な記録媒体を有しており、かつ、着脱可能な記録媒体を装着する装着部を複数備えているドライブ装置におけるデータ書き込み方法であって、
予め登録された複数の着脱可能な記録媒体のいずれかを指定する媒体指定情報により指定された指定媒体上の特定の領域に対してデータを書き込む第１の書き込み命令に応じて、書き込むべきデータを上記着脱不可能な記録媒体に書き込むと共に、当該データを書き込んだ上記着脱不可能な記録媒体上の領域を、上記媒体指定情報および上記指定媒体上の特定の領域に関連付けて記録するか、
複数の上記装着部のいずれかを指定する装着部指定情報により指定された装着部に装着されている装着媒体上の特定の領域に対してデータを書き込む第２の書き込み命令に応じて、書き込むべきデータを上記装着媒体上の特定の領域に書き込む書込ステップを含むことを特徴とするデータ書き込み方法。
【請求項８】
請求項１から５のいずれか１項に記載のドライブ装置を動作させるためのプログラムであって、コンピュータを上記の各手段として機能させることを特徴とするプログラム。
【請求項９】
請求項８に記載のプログラムを記録したコンピュータ読み取り可能な記録媒体。
【発明の詳細な説明】
【技術分野】
【０００１】
本発明は、着脱不可能な記録媒体を有しており、かつ、着脱可能な記録媒体を装着する装着部を複数備えているドライブ装置、当該ドライブ装置におけるデータ書き込み方法、および当該ドライブ装置を備えたコンテンツ記録再生装置に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。
【０００３】
ＢＤを初めとする光ディスクを装填することができるレコーダ装置は、光ディスクよりもさらに大容量のデータを記録することができるハードディスクを内蔵するタイプ（ハイブリッドレコーダ装置）と、ハードディスクを備えていないタイプ（ストレートレコーダ装置）とに大別することができる。
【０００４】
ストレートレコーダ装置は、録画したコンテンツ（番組）をそのレコーダ装置に装填されている光ディスクに対して記録するため、ビデオデッキなどの従前のレコーダ装置と同様の操作方法でレコーダ装置を操作することができる。しかし、光ディスクが装填されていない場合や、装填されている光ディスクのデータ容量が不足している場合には、コンテンツを記録することができないため、コンテンツの記録失敗が多くなる。また、コンテンツの録画および再生には、ハードディスクと比較してデータの読み出し速度および書き込み速度が劣る光ディスクを用いるため、ユーザーが操作レスポンスにストレスを感じやすい。
【０００５】
ハイブリッドレコーダ装置（例えば、特許文献１および２）は、光ディスクと比較してデータの読み出し速度および書き込み速度が速いハードディスクを使用した録画および再生が可能であり、ユーザーは操作レスポンスにストレスを感じることは少ない。すなわち、ハイブリッドレコーダ装置では、上述したストレートレコーダ装置の有する問題点を解決している。
【０００６】
しかし、高齢者などのハイブリッドレコーダ装置に不慣れなユーザーにとっては、コンテンツ（番組）がハードディスクに対して記録されるという概念が判り難いため、ハイブリッドレコーダ装置の操作方法が理解できないことが多い。また、他装置においてコンテンツを再生する場合には、ハードディスクに記録されているコンテンツを光ディスクにコピーするという処理が生じる。この場合、ユーザーがコンテンツを記録する光ディスクを選択してレコーダ装置に装填する必要があるため、ユーザーの意図しない光ディスクに対してコンテンツを記録してしまうことがある。
【０００７】
特許文献３には、予約情報において指定される指定ディスクが装填されていないときには、コンテンツをハードディスクに記録しておき、指定ディスクがドライブに装填されたときに、ハードディスクに記録しておいたコンテンツを指定の光ディスクにダビングするハイブリッドレコーダ装置が開示されている。
【０００８】
また、特許文献４には、オートチェンジャ内の複数の光ディスク（マルチボリューム）を単一の光ディスク（シングルボリューム）とみなして取り扱うことができる記録情報処理装置が開示されている。
【先行技術文献】
【特許文献】
【０００９】
【特許文献１】特開２００７−２３４１３７号公報（平成１９年９月１３日公開）
【特許文献２】特開２００５−５０３９５号公報（平成１７年２月２４日公開）
【特許文献３】特表２００７−５１７３４４号公報（平成１９年６月２８日公開）
【特許文献４】特開平７−９３１１０号公報（平成７年４月７日公開）
【発明の概要】
【発明が解決しようとする課題】
【００１０】
特許文献３に記載のハイブリッドレコーダ装置では、予約情報において指定された光ディスクが装填されているか否かに関わらず予約録画を実行することができる。しかし、予約情報において指定された光ディスクが装填されていなければ、予約情報において指定された光ディスクに対する予約録画以外の処理を実行することはできない。
【００１１】
ハイブリッドレコーダ装置では、ハードディスクに記録されているコンテンツに対してはハードディスクのファイルシステムを参照し、装填されている光ディスクに記録されているコンテンツに対しては装填されている光ディスクのファイルシステムを参照する。装填されている光ディスクのファイルシステムは、その光ディスクが光ディスクドライブから取り出されるときに削除されるため、ハイブリッドレコーダ装置は、光ディスクが装填されていないときにその光ディスクのファイルシステムを参照することができなくなる。
【００１２】
そのため、特許文献３に記載されているハイブリッドレコーダ装置では、光ディスクが装填されていないときには、光ディスクのファイルシステムを参照して光ディスクに記録されているコンテンツに対してアクセスすることができない。つまり、あるコンテンツをある光ディスクに書き込むべきコンテンツとしてハードディスクに記録しておくことはできても、その光ディスクが装填されるまでは、そのコンテンツをその光ディスク上のファイルシステムの構成要素として処理することができない。例えば、その光ディスクが装填されるまでは、光ディスク上のファイルシステムにおいてそのコンテンツを格納するディレクトリを決めることはできない。
【００１３】
また、特許文献３に記載されているハイブリッドレコーダ装置では、光ディスクが装填されるまでは、その光ディスクにどれだけの空き容量があるかを特定することもできないため、その光ディスクに書き込みきれない大きなコンテンツを、その光ディスクに書き込むべきコンテンツとしてハードディスクに記録してしまうなどの問題も生じ得る。
【００１４】
このように、特許文献１から３に記載のハイブリッドレコーダ装置では、予約録画以外の処理は、ディスクドライブに装填されている１枚の光ディスクに対するデータアクセス処理しか実行することができない。
【００１５】
ここで、特許文献４に記載されているようなディスクチェンジャを備えた光ディスクドライブであれば、複数の光ディスクに対してデータアクセス処理を実行することができる。しかし、ディスクチェンジャを備えた光ディスクドライブであっても、現在ディスクチェンジャに装着されていない光ディスクに対するデータアクセス処理は依然として実行することができない。すなわち、特許文献４に記載されているようなディスクチェンジャを用いたとしても、過去に装着された光ディスクに対するデータアクセス処理は実行することができないという問題を有する。
【００１６】
本発明は、上記問題点に鑑みてなされたものであり、その主たる目的は、予め登録された着脱可能な記録媒体に対するデータアクセス処理、および、現在装着されている着脱可能な記録媒体に対するデータアクセス処理のいずれの処理も実行可能なディスクチェンジャ付のドライブ装置を提供する。
【課題を解決するための手段】
【００１７】
本発明に係るドライブ装置は、上記課題を解決するために、
着脱不可能な記録媒体を有しており、かつ、着脱可能な記録媒体を装着する装着部を複数備えているドライブ装置であって、
予め登録された複数の着脱可能な記録媒体のいずれかを指定する媒体指定情報により指定された指定媒体上の特定の領域に対してデータを書き込む第１の書き込み命令に応じて、書き込むべきデータを上記着脱不可能な記録媒体に書き込むと共に、当該データを書き込んだ上記着脱不可能な記録媒体上の領域を、上記媒体指定情報および上記指定媒体上の特定の領域に関連付けて記録する第１の書込手段と、
複数の上記装着部のいずれかを指定する装着部指定情報により指定された装着部に装着されている装着媒体上の特定の領域に対してデータを書き込む第２の書き込み命令に応じて、書き込むべきデータを上記装着媒体上の特定の領域に書き込む第２の書込手段と、
を備えていることを特徴としている。
【００１８】
本発明に係るドライブ装置では、予め登録された複数の着脱可能な記録媒体のいずれかを指定する媒体指定情報により指定された指定媒体上の特定の領域に対してデータを書き込む第１の書き込み命令、および、複数の装着部のいずれかを指定する装着部指定情報により指定された装着部に装着されている装着媒体上の特定の領域に対してデータを書き込む第２の書き込み命令の２つの書き込み命令を処理する。
【００１９】
より具体的には、本発明に係るドライブ装置では、第１の書き込み命令を受けたときには、データを着脱不可能な記録媒体に書き込むと共に、データを書き込んだ着脱不可能な記録媒体上の領域を、媒体指定情報および指定媒体上の特定の領域に関連付けて記録する。一方、第２の書き込み命令を受けたときには、データを装着媒体上の特定の領域に書き込む。
【００２０】
これによって、本発明に係るドライブ装置では、予め登録された着脱可能な記録媒体（すなわち、過去に装着部に装着されたことのある着脱可能な記録媒体）に対するデータの書き込み処理、および、現在装着部に装着されている着脱可能な記録媒体に対するデータの書き込み処理のいずれの処理も実行することができる効果を奏する。
【００２１】
また、本発明に係るドライブ装置では、着脱不可能な記録媒体に書き込んだデータを指定媒体上の領域のいずれに書き込むべきであるのかを示す情報を参照することにより、指定媒体に対するアクセスを着脱不可能な記録媒体に対するアクセスに読み換えることができる。
【００２２】
これによって、本発明に係るドライブ装置では、媒体指定情報により指定された指定媒体が装着部に装着されていない場合であっても、あたかも指定媒体が装着部に装着されているかのごとく取り扱うことができる効果も併せて奏する。
【００２３】
本発明に係るドライブ装置では、さらに、上記第２の書込手段は、上記書き込むべきデータを、上記装着媒体上の特定の領域に加えて上記着脱不可能な記録媒体に書き込むと共に、上記装着部指定情報と当該データを書き込んだ上記着脱不可能な記録媒体上の領域と上記装着媒体上の特定の領域とを互いに関連付けて記録することが好ましい。
【００２４】
上記の構成によれば、本発明に係るドライブ装置では、着脱不可能な記録媒体に書き込んだデータを装着媒体上のいずれの領域に書き込んだのかを示す情報を参照することにより、装着媒体に対するアクセスを着脱不可能な記録媒体に対するアクセスに読み換えることができる。
【００２５】
これによって、本発明に係るドライブ装置に対して書き込み命令を供給する命令供給元からは、予め登録された着脱可能な記録媒体以外の着脱可能な記録媒体（すなわち、現在装着部に装着されている着脱可能な記録媒体）を、あたかも単一の記録媒体であるかのごとく取り扱うことができる効果を奏する。
【００２６】
本発明に係るドライブ装置では、さらに、上記指定媒体が上記装着部に装着されたとき、上記着脱不可能な記録媒体に書き込まれたデータを上記指定媒体上の特定の領域に書き込む同期手段をさらに備えていることが好ましい。
【００２７】
上記の構成によれば、本発明に係るドライブ装置では、媒体指定情報により指定された指定媒体が装着部に装着されたとき、着脱不可能な記録媒体に書き込んだデータを指定媒体上の領域のいずれに書き込むべきであるのかを示す情報に基づいて、着脱不可能な記録媒体に記録されたデータを指定媒体の特定の領域に書き込むことができる。
【００２８】
これによって、データを書き込む際にデータの記録を所望する指定媒体を装着部に装着していない場合であっても、指定媒体を装着部に装着したときに指定媒体に対してデータを記録することができる効果を奏する。
【００２９】
本発明に係るドライブ装置では、さらに、上記媒体指定情報により指定された指定媒体上の特定の領域からデータを読み出す読み出し命令に応じて、上記指定媒体上の特定の領域に関連付けられた上記着脱不可能な記録媒体上の領域からデータを読み出す第１の読出手段と、上記装着部指定情報により指定された装着部に装着されている装着媒体上の特定の領域からデータを読み出す読み出し命令に応じて、上記装着部指定情報により指定される装着部に装着されている装着媒体上の特定の領域からデータを読み出す第２の読出手段と、をさらに備えていることが好ましい。
【００３０】
上記の構成によれば、本発明に係るドライブ装置は、予め登録された複数の着脱可能な記録媒体のいずれかを指定する媒体指定情報により指定された指定媒体上の特定の領域からデータを読み出す第１の読み出し命令、および、複数の装着部のいずれかを指定する装着部指定情報により指定された装着部に装着されている装着媒体上の特定の領域からデータを読み出す第２の読み出し命令の２つの読み出し命令を処理する。
【００３１】
より具体的には、本発明に係るドライブ装置では、第１の読み出し命令を受けたときには、指定媒体上の特定の領域に関連付けられた着脱不可能な記録媒体上の領域からデータを読み出す。一方、第２の読み出し命令を受けたときには、装着媒体上の特定の領域からデータを読み出す。
【００３２】
このように、本発明に係るドライブ装置では、予め登録された着脱可能な記録媒体（すなわち、過去に装着部に装着されたことのある着脱可能な記録媒体）に対するデータの読み出し処理、および、現在装着部に装着されている着脱可能な記録媒体に対するデータの読み出し処理のいずれの処理も実行することができる効果を奏する。
【００３３】
また、本発明に係るドライブ装置では、媒体指定情報により指定された指定媒体が装着部に装着されていない場合であっても、あたかも指定媒体が装着部に装着されているかのごとく着脱不可能な記録媒体からデータを読み出すことができる効果も併せて奏する。
【００３４】
本発明に係るドライブ装置では、さらに、上記第２の読出手段は、上記装着部指定情報により指定された装着部に装着されている装着媒体上の特定の領域に上記着脱不可能な記録媒体上の領域が関連付けられており、かつ、上記着脱不可能な記録媒体からのデータの読み出し速度が着脱可能な記録媒体からのデータの読み出し速度よりも速い場合には、当該着脱不可能な記録媒体上の領域からデータを読み出すことが好ましい。
【００３５】
上記の構成によれば、読み出しの対象となるデータを着脱可能な記録媒体から読み出すよりも速く読み出すことができる効果を奏する。
【００３６】
ドライブ装置を備えたコンテンツ記録再生装置であって、上記第１の書き込み命令を上記ドライブ装置に供給することにより、コンテンツを上記指定媒体に記録するか、または上記第２の書き込み命令を上記ドライブ装置に供給することにより、コンテンツを上記装着媒体に記録することを特徴とするコンテンツ記録再生装置も本発明の範疇に含まれる。
【００３７】
本発明に係るドライブ装置におけるデータ書込み方法は、上記課題を解決するために、
着脱不可能な記録媒体を有しており、かつ、着脱可能な記録媒体を装着する装着部を複数備えているドライブ装置におけるデータ書き込み方法であって、
予め登録された複数の着脱可能な記録媒体のいずれかを指定する媒体指定情報により指定された指定媒体上の特定の領域に対してデータを書き込む第１の書き込み命令に応じて、書き込むべきデータを上記着脱不可能な記録媒体に書き込むと共に、当該データを書き込んだ上記着脱不可能な記録媒体上の領域を、上記媒体指定情報および上記指定媒体上の特定の領域に関連付けて記録するか、
複数の上記装着部のいずれかを指定する装着部指定情報により指定された装着部に装着されている装着媒体上の特定の領域に対してデータを書き込む第２の書き込み命令に応じて、書き込むべきデータを上記装着媒体上の特定の領域に書き込む書込ステップを含むことを特徴としている。
【００３８】
上記の構成によれば、本発明に係るドライブ装置と同様の作用効果を奏する。
【００３９】
また、本発明に係るドライブ装置を動作させるためのプログラムであって、コンピュータを上記の各手段として機能させることを特徴とするプログラム、および、それらのプログラムを記録したコンピュータ読み取り可能な記録媒体も本発明の範疇に含まれる。
【発明の効果】
【００４０】
以上説明したように、本発明に係るドライブ装置では、予め登録された複数の着脱可能な記録媒体のいずれかを指定する媒体指定情報により指定された指定媒体上の特定の領域に対してデータを書き込む第１の書き込み命令、および、複数の装着部のいずれかを指定する装着部指定情報により指定された装着部に装着されている装着媒体上の特定の領域に対してデータを書き込む第２の書き込み命令の２つの書き込み命令を処理する。
【００４１】
これによって、本発明に係るドライブ装置では、予め登録された着脱可能な記録媒体（過去に装着部に装着されたことのある着脱可能な記録媒体）に対するデータの書き込み処理、および、現在装着部に装着されている着脱可能な記録媒体に対するデータの書き込み処理のいずれの処理も実行することができる効果を奏する。
【００４２】
また、本発明に係るドライブ装置では、媒体指定情報により指定された指定媒体が装着部に装着されていない場合であっても、あたかも指定媒体が装着部に装着されているかのごとく取り扱うことができる効果も併せて奏する。
【図面の簡単な説明】
【００４３】
【図１】実施形態２に係るレコーダ装置の要部構成を示すブロック図である。
【図２】実施形態１に係るレコーダ装置の要部構成を示すブロック図である。
【図３】ドライブ部に備えられた記憶部の初期化処理を示す図であり、（ａ）は記憶部の初期化の際の表示装置における表示の一例を示し、（ｂ）は初期化処理後の記憶部を模式的に示している。
【図４】光ディスクの登録処理を示す図であり、（ａ）は光ディスクの登録処理の際の表示装置における表示の一例を示し、（ｂ）は光ディスクの登録処理後の記憶部を模式的に示している。
【図５】実施形態１に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図６】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図７】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図８】実施形態１に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図９】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図１０】コンテンツの同期処理後の記憶部およびディスク１の状態を示す図である。
【図１１】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１２】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１３】領域１に記録されていたコンテンツ１およびコンテンツ２を削除した後に、新たにコンテンツ４を録画したときの記憶部およびディスク１の状態を示す図である。
【図１４】コンテンツ４を録画した際の各記憶部の状態を示す図であり、（ａ）は領域１におけるコンテンツの記録状態に対応するディスク１の記録状態の対応関係を示し、（ｂ）はコンテンツ４を記録した際のマップテーブルを示す図であり、（ｃ）はコンテンツ４を記録した際のタイトル管理テーブルを示している。
【図１５】コンテンツ１〜３を記録したディスク１が搭載されている場合の各記憶部の状態を示す図である。
【図１６】マイディスクが搭載されている場合において、再生時にコンテンツが読み出される媒体を模式的に示した図である。
【図１７】ドライブ部に光ディスクが搭載されていない場合の各記憶部の状態を示す図である。
【図１８】マイディスクが搭載されていない場合において、再生時にコンテンツが読み出される媒体を模式的に示した図である。
【図１９】マイディスクが搭載されている場合において、コンテンツが編集される媒体を模式的に示した図である。
【図２０】コンテンツが編集される媒体を模式的に示した図であり、（ａ）はディスク１が搭載されていないときの編集対象となる媒体を示しており、（ｂ）はディスク１が搭載されたときの変更箇所のディスク１への反映を示している。
【図２１】実施形態１に係るレコーダ装置におけるメモリ内コピー処理を示す図であり、（ａ）は、メモリ内コピー処理後の記憶部の状態を示し、（ｂ）はメモリ内コピー処理後の記憶部におけるタイトル管理領域の状態を示している。
【図２２】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２３】表示装置におけるコンテンツおよびタイトルリストに記録されている情報の表示を概略的に示す図である。
【図２４】実施形態２に係るレコーダ装置におけるディスクの装着状態を示す図であり、（ａ）はディスクドライブ部における光ディスクの装着状態を示しており、（ｂ）は実施形態２に係る記憶部の各領域と、ディスクドライブ部に装着された光ディスクとの対応付けを示している。
【図２５】実施形態２に係る記憶部のマイディスク管理領域における各エントリに含まれる情報を示す図である。
【図２６】予備領域におけるコンテンツの記録状態に対応するディスクα、ディスクβおよびディスクγにおけるコンテンツの記録状態の対応関係を模式的に示した図である。
【図２７】実施形態２に係るレコーダ装置のバックエンド部の記憶部におけるタイトル管理領域およびファイルシステム管理領域に記録されている情報を模式的に示す図である。
【図２８】実施形態２に係るディスクドライブ部にマイディスク登録されていない光ディスクを装着した際の表示例を示す図である。
【図２９】実施形態２に係るディスクドライブ部の各トレイに装着されている光ディスクを単一の光ディスクとした際のディスク容量の表示を示す図である。
【発明を実施するための形態】
【００４４】
〔実施形態１〕
実施形態１に係るレコーダ装置の構成および当該レコーダ装置の動作の概要を、図２〜図２３を参照して説明する。
【００４５】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなどの着脱可能な記録媒体にデータを書き込むドライブ装置一般に適用することができる。
【００４６】
実施形態１に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００４７】
＜レコーダ装置１００の構成＞
本実施形態に係るレコーダ装置の構成について、図２を参照しつつ以下に説明する。図２は、レコーダ装置１００の要部構成を示すブロック図である。
【００４８】
図２に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４９】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００５０】
バックエンド部２００は、図２に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図２に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００５１】
ドライブ部３００は、図２に示すように、インターフェース部３１０、ドライブ制御部３２０、ディスクドライブ部３３０および記憶部３４０を備えている。また、図２に示すように、インターフェース部３１０、ドライブ制御部３２０、ディスクドライブ部３３０および記憶部３４０は、バスラインを介して互いに接続されている。
【００５２】
本明細書等では、記憶部３４０における各領域に対して対応付けられた光ディスク、すなわち自身の有するメディアＩＤが記憶部３４０に記録されている光ディスクを「マイディスク」と称する。
【００５３】
バックエンド部２００およびドライブ部３００の備える各部材について、以下に説明する。
【００５４】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００５５】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００５６】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００５７】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００５８】
（バックエンド制御部２４０）
バックエンド制御部２４０は、レコーダ装置１００におけるコンテンツデータの記録および再生全般を制御する。
【００５９】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００６０】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００６１】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００６２】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００６３】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００６４】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００６５】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００６６】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００６７】
インターフェース部３１０は、入力されたデータをインターフェース部２９０を介してバックエンド部２５０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６８】
なお、本実施形態では、インターフェース部２９０、３１０がＳＡＴＡである場合を例に挙げて説明する。
【００６９】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００７０】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００７１】
インターフェース部２９０、３１０がＡＴＡインターフェースである場合、バックエンド制御部２４０からの書き込み命令および読み出し命令は、ＡＴＡコマンドとなる。
【００７２】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３４０に出力するようにしてもよい。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００７３】
なお、これは書き込み命令に限るものではなく、読み出し命令についても同様である。
【００７４】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００７５】
ディスクドライブ部３３０は、装填されている光ディスクからデータを読み出したり、光ディスク対してデータを書き込んだりするための光ピックアップ部などを備えている。
【００７６】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００７７】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００７８】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図３（ａ）および（ｂ）および図４（ａ）および（ｂ）を参照して説明する。レコーダ装置１００における事前設定は、記憶部３４０の初期化処理と、記憶部３４０に対する光ディスクの登録処理の２つに大別することができる。
【００７９】
＜記憶部３４０の初期化処理＞
記憶部３４０の初期化処理について、図３（ａ）および（ｂ）を参照しつつ説明する。図３（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００８０】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００８１】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図３（ａ）に示すような画像を表示することが好ましい。
【００８２】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００８３】
図３（ｂ）は、初期化処理後の記憶部３４０を示している。図３（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００８４】
管理領域は、図３（ｂ）に示すように、領域１〜領域ｎを管理するマイディスク管理領域と、マイディスク管理領域を管理するメモリ管理領域と、に分けることができる。
【００８５】
マイディスク管理領域には、領域１〜領域ｎの各領域を管理する管理情報が記録されている。図３（ｂ）では、便宜上、領域１を管理する管理情報の記録されている領域を「エントリ１」と称し、以下同様に領域２〜ｎを管理する管理情報の記録されている領域をエントリ２〜ｎと称する。
【００８６】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００８７】
「エントリ番号」は、いずれの領域を管理するのかを示す情報である。例えば、エントリ１は、領域１を管理する管理情報であるため、エントリ番号としては「１」を示す情報が記録されている。
【００８８】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８９】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００９０】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００９１】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００９２】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００９３】
また、メモリ管理領域には、図３（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００９４】
なお、記憶部３４０を領域１〜領域ｎに仮想的に分割した時に生じる余りの領域を予備領域として活用するようにしてもよい。
【００９５】
＜光ディスクの登録処理＞
次に、記憶部３４０に対する光ディスクの登録処理について、図４（ａ）および（ｂ）を参照しつつ説明する。図４（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００９６】
光ディスクの登録処理とは、記憶部３４０において仮想的に分割されている各領域を管理するエントリに対して、光ディスクのメディアＩＤを記録する処理である。
【００９７】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９８】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９９】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【０１００】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【０１０１】
なお、メディアＩＤをエントリに記録する際には、表示装置に図４（ａ）に示すような画像を表示するようにすることが好ましい。
【０１０２】
図４（ｂ）は、メディアＩＤ「ａａａ」を有する光ディスクをエントリ１に記録した場合における光ディスクの登録後の記憶部３４０の状態を示している。
【０１０３】
光ディスクのメディアＩＤをエントリ１に記録した場合、図４（ｂ）に示すように、光ディスクはエントリ１により管理される領域１に対して対応付けられることになる。
【０１０４】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１０５】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【０１０６】
レコーダ装置１００におけるコンテンツ録画動作について、図５（ａ）〜（ｃ）〜図１４（ａ）〜（ｃ）を参照して以下に説明する。なお、ここでは、コンテンツ録画動作として、予約録画処理を例に挙げて説明する。
【０１０７】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１０８】
（予約登録処理）
まず、レコーダ装置１００における予約登録処理について、図５（ａ）〜（ｃ）を参照しつつ以下に説明する。図５（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０９】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１１０】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図５（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１１１】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図５（ｂ））。このとき、ディスク１には、既にメディアＩＤは記録されているため、メディアＩＤについては記録しなくてもよい。
【０１１２】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１１３】
図５（ｃ）には、記憶部３４０の領域１に対応付けられたディスク１を装填している場合に予約登録した際の表示装置に表示する画像の一例を示している。
【０１１４】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図６（ａ）および（ｂ）を参照しつつ以下に説明する。図６（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１１５】
コンテンツ１の録画が完了すると、図６（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１１６】
次に、コンテンツ１を記憶部３４０の領域１およびディスク１に記録した際の記憶部３４０および記憶部２８０の状態について図７（ａ）〜（ｃ）を参照しつつ以下に説明する。図７（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１７】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１８】
図７（ａ）には、記憶部３４０の領域１における仮想ディスクイメージを示している。図７（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１９】
続いて、図７（ａ）において示した物理アドレスと仮想アドレスとの関連付けを実現するためのマップテーブルについて、図７（ｂ）を参照しつつ説明する。
【０１２０】
マップテーブルは、記憶部３４０のマイディスク管理領域におけるマップ情報として記録されている。マップテーブルは、図７（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１２１】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１２２】
マップテーブルは、コンテンツ１が領域１に記録されると共に内容が更新される。記憶部３４０の領域１が図７（ａ）に示す状態である場合のマップテーブルを、図７（ｂ）に示す。図７（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１２３】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１２４】
なお、図７（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１２５】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図７（ｃ）を参照して説明する。なお、タイトル管理領域は、記憶部３４０において仮想的に分割されている領域の数だけ記憶部２８０に設けられている。
【０１２６】
タイトル管理テーブルには、図７（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２７】
図７（ｂ）に示したマップテーブルを設定したときのタイトル管理テーブルの一例を、図７（ｃ）に示している。このとき、タイトル１における残りダビング回数は、コンテンツ１をディスク１へ記録したため、残り１０回から１回減算されて「９」回となっている。
【０１２８】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図８（ａ）および（ｂ）を参照しつつ以下に説明する。図８（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２９】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３２０にディスク１が装填されていないため、バックエンド部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１３０】
コンテンツ２の録画が終了すると、図８（ｂ）に示すように、バックエンド制御部２４０は記憶部２８０における予約情報管理領域からコンテンツ２の予約録画を示す予約情報を消去する。
【０１３１】
次に、コンテンツ２を記憶部３４０の領域１に記録した際の記憶部３４０および記憶部２８０の状態について図９（ａ）〜（ｃ）を参照しつつ以下に説明する。図９（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１３２】
図９（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１３３】
コンテンツ２が領域１に記録されると共に、記憶部３４０のエントリ１におけるマップ情報に記録されているマップテーブルも更新される。記憶部３４０の領域１が図９（ａ）に示す状態のマップテーブルを、図９（ｂ）に示す。図９（ｂ）に示すように、図７（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１３４】
また、図９（ｃ）には、図９（ｂ）に示したマップテーブルが設定されたときのタイトル管理テーブルの一例を示している。図９（ｃ）に示すように、タイトル管理テーブルでは、図７（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１３５】
（コンテンツの同期処理）
次に、記憶部３４０に記録されたコンテンツであってマイディスクに対して記録されていないコンテンツを、マイディスクに対して記録する同期処理について、図１０〜図１２（ａ）〜（ｃ）を参照して以下に説明する。
【０１３６】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１０）。すなわち、コンテンツ２は同期状態となる。
【０１３７】
ドライブ制御部３２０は、ディスク１に対するコンテンツ２の書き出しが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３８】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１０）。なお、図１０は、コンテンツの同期処理後の記憶部３４０およびディスク１の状態を示す図である。
【０１３９】
次に、記憶部３４０の領域１に記録されているコンテンツ２をディスク１に書き出した際の記憶部３４０および記憶部２８０の状態について図１１（ａ）〜（ｃ）を参照しつつ以下に説明する。図１１（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１４０】
図１１（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１４１】
コンテンツ２の同期処理が完了すると、図１１（ｂ）に示すように、エントリ１のマップ情報に記録されているマップテーブルの同期フラグが、コンテンツがマイディスクに記録されていることを表す「１」となる。また、図１１（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１４２】
次に、ディスク１において「０ｘ２５０」を先頭アドレスとするコンテンツ（コンテンツ３）が既に記録されている場合のコンテンツ２の同期処理について、図１２（ａ）〜（ｄ）を参照して以下に説明する。
【０１４３】
図１２（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１４４】
図１２（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１４５】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４６】
このとき、領域１のマップテーブルについても、図１２（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４７】
同様に、図１２（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１４８】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１４９】
図１３は、領域１に記録されていたコンテンツ１およびコンテンツ２を削除した後に、新たにコンテンツ４を録画したときの記憶部３４０およびディスク１の状態を示す図である。なお、図１３は、マイディスクが装填されている状態での録画のため、コンテンツ４はディスク１に対しても記録されている。
【０１５０】
図１３に示す状態、すなわちコンテンツ１およびコンテンツ２を領域１から削除した後に領域１にコンテンツ４を記録したときの記憶部３４０および記憶部２８０の状態について図１４（ａ）〜（ｃ）を参照しつつ以下に説明する。図１４（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１５１】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１４（ａ）に示すように、コンテンツ１およびコンテンツ２は、仮想ディスクイメージ上においては消去されることなく残されている。すなわち、図１４（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１５２】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１５３】
また、図１４（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１５４】
＜コンテンツ再生動作＞
次に、レコーダ装置１００におけるコンテンツの再生動作について、図１５〜図１８を参照しつつ以下に説明する。
【０１５５】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１５６】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１５７】
（マイディスクが装填されている場合の再生処理）
マイディスクが装填されている場合の再生処理について、図１５および図１６を参照して以下に説明する。図１５は、コンテンツ１〜３を記録したディスク１が装填されている場合の記憶部３４０および記憶部２８０の状態を示す図である。図１６は、マイディスクが装填されている場合において、再生時にコンテンツが読み出される媒体を模式的に示した図である。
【０１５８】
図１５に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１５では、タイトル管理テーブルの詳細については省略して示している。
【０１５９】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１６０】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１６１】
領域１からコンテンツ１を読み出したドライブ制御部３２０は、読み出したコンテンツ１を、インターフェース部３１０を介してバックエンド部２００に出力する。
【０１６２】
このように、読み出しの対象となるコンテンツがマイディスクにも記憶部３４０にも記録されている場合、図１６に示すように、コンテンツは記憶部３４０から読み出される。
【０１６３】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１６４】
ディスク１からコンテンツ３が読み出されると、ドライブ制御部３２０は、読み出したコンテンツ３を、インターフェース部３１０を介してバックエンド部２００に出力する。
【０１６５】
このように、読み出しの対象となるコンテンツが記憶部３４０に記録されていない場合、図１６に示すように、コンテンツはマイディスクから読み出される。
【０１６６】
（マイディスクが装填されていない場合の再生処理）
続いて、マイディスクが装填されていない場合の再生処理について、図１７および図１８を参照して以下に説明する。図１７は、ドライブ部３００に光ディスクが装填されていない場合の記憶部３４０および記憶部２８０の状態を示す図である。図１８は、マイディスクが装填されていない場合において、再生時にコンテンツが読み出される媒体を模式的に示した図である。
【０１６７】
図１７に示すように、記憶部３４０の領域１には、コンテンツ１およびコンテンツ２が記録されている。しかし、図１５の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１７では、図１５と同様に、タイトル管理テーブルの詳細については省略して示している。
【０１６８】
図１７に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１６９】
すなわち、図１８に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１７０】
なお、図１８に示すコンテンツ１の読み出し処理は、マイディスクが装填されている場合におけるコンテンツ１の読み出し処理と同様であるため、ここでは説明を省略する。
【０１７１】
＜コンテンツ編集動作＞
次に、レコーダ装置１００におけるコンテンツの編集動作について、図１９および図２０（ａ）および（ｂ）を参照しつつ以下に説明する。
【０１７２】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１７３】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１７４】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１７５】
（マイディスクが装填されている場合の編集処理）
マイディスクが装填されている場合の編集処理について、図１５および図１９を参照して以下に説明する。図１９は、マイディスクが装填されている場合において、コンテンツが編集される媒体を模式的に示した図である。
【０１７６】
図１５に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１５では、タイトル管理テーブルの詳細については省略して示している。
【０１７７】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１７８】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１７９】
このように、データを変更する対象となるコンテンツがマイディスクにも記憶部３４０にも記録されている場合、図１９に示すように、記憶部３４０に記録されているコンテンツのデータが変更されることになる。
【０１８０】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１８１】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１８２】
（マイディスクが装填されていない場合の編集処理）
続いて、マイディスクが装填されていない場合のコンテンツの編集処理について、図１７および図２０（ａ）および（ｂ）を参照して以下に説明する。図２０（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１８３】
図１７に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１８４】
すなわち、図２０（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１８５】
＜コンテンツコピー動作＞
次に、レコーダ装置１００におけるコンテンツのコピー動作について、図２１（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２１（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１８６】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１８７】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２１（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１８８】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２１（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１８９】
なお、図２１（ａ）に示すように、ディスク２はドライブ部３００に装填されていないため、領域２に記録されているコンテンツ２の同期状態は、未同期を表す情報である。
【０１９０】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１９１】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１９２】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１９３】
ここで、光ディスクのファイルシステムを利用したデータ管理について、図２２（ａ）〜（ｃ）を参照しつつ以下に説明する。図２２（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１９４】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１９５】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２２（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１９６】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１９７】
なお、図２２（ａ）には、ディスク１に関するファイルシステムについてのみ示しているが、記憶部２８０のファイルシステム管理領域には、マイディスクとして登録されているディスクの数だけファイルシステムが記録されている。
【０１９８】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１９９】
さらに、図２２（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０２００】
このように、記憶部３４０に記録されているマップ情報は、本実施形態ではコンテンツごとの配置情報として示しているが、より正確には、図２２（ｃ）に示すように、領域（ファイル）ごとの配置情報を示すものである。
【０２０１】
また、マイディスクの登録解除の際には、ファイルシステム管理領域に記録されているファイルシステムについても、タイトル管理情報と併せて削除される。
【０２０２】
＜表示装置における表示例＞
最後に、レコーダ装置１００に接続された表示装置におけるコンテンツとタイトルリストに記録されている情報との表示例について、図２３を参照しつつ以下に説明する。図２３は、表示装置５００上でのコンテンツおよびタイトルリストに記録されている情報の表示を概略的に示す図である。
【０２０３】
操作入力部を介してユーザーがタイトルリストの表示をレコーダ装置１００に対して指示すると、表示装置５００では、タイトルリストおよびコンテンツが図２３に示すように表示される。
【０２０４】
すなわち、図２３に示すように、表示装置５００における表示画面は、これまで視聴していたコンテンツを引き続き表示するコンテンツ表示部５１０と、タイトルリストを表示するタイトル表示部５２０との２つの画面に分割されることになる。
【０２０５】
タイトルリスト表示部５２０には、図２３に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２０６】
図２３では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２０７】
〔実施形態２〕
＜ディスクチェンジャー付のドライブ部を備えたレコーダ装置＞
実施形態１では、ディスクドライブ部３３０に装填できる光ディスクが１枚であるドライブ部３００を備えているレコーダ装置１００について説明した。実施形態２では、光ディスクを装着するディスクトレイが複数設けられたディスクドライブ部有するドライブ部を備えたレコーダ装置におけるデータの書き込み処理および読み出し処理について、図１および図２４〜図２９を参照しつつ以下に説明する。ここで、実施形態１において用いている用語と同一の用語については、実施形態２においても同一の意味として用いる。
【０２０８】
また、本実施形態に係るレコーダ装置に備えられているドライブ装置も、実施形態１と同様に、ＢＤ（Blu-ray Disc）、ＤＶＤ（Digital Versatile Disc）、ＣＤ（Compact Disc）の光ディスクにデータを書き込む光ディスクドライブ装置に限定されるものではなく、フレキシブルディスク、光磁気ディスクなどの着脱可能な記録媒体にデータを書き込むドライブ装置一般にも適用することができる。
【０２０９】
（レコーダ装置１００ｂの構成）
まず、実施形態２に係るレコーダ装置の要部構成について、図１を参照しつつ以下に説明する。図１は、レコーダ装置１００ｂの要部構成を示すブロック図である。なお、レコーダ装置１００と同様の部材については同一の符号を付し、説明を省略する。
【０２１０】
レコーダ装置１００ｂは、バックエンド部２００およびドライブ部３００ｂを備えている。ドライブ部３００ｂは、インターフェース部３１０ｂ、ドライブ制御部３２０ｂ、ディスクドライブ部３３０ｂおよび記憶部３４０ｂを備えている。ドライブ部３００ｂを構成する各部材は、実施形態１において説明したドライブ部３００を構成する各部材とほぼ同様の機能を有している。本実施形態では、実施形態１におけるドライブ部３００を構成する各部材とは異なる機能についてのみ説明する。
【０２１１】
（インターフェース部３１０ｂ）
インターフェース部３１０ｂは、マイディスクに対するデータの書き込み命令、マイディスクからのデータの読み出し命令に加えて、マイディスクとして登録されていない光ディスクに対するデータの書き込み命令、マイディスクとして登録されていない光ディスクからのデータの読み出し命令をバックエンド部２００から取得する。
【０２１２】
マイディスクに対するデータアクセス（書き込みおよび読み出し）命令と、マイディスク以外の光ディスクに対するデータアクセス（書き込みおよび読み出し）命令との違いについては下記にて説明する。
【０２１３】
（ドライブ制御部３２０ｂ）
ドライブ制御部３２０ｂは、インターフェース部３１０ｂにおいて取得したデータのアクセス命令が、マイディスクに対するものである場合には、マイディスク用のデータアクセス処理を実行し、マイディスク以外の光ディスクに対するものである場合には、マイディスク以外の光ディスク用のデータアクセス処理を実行する。マイディスク用のデータアクセス処理と、マイディスク以外の光ディスク用のデータアクセス処理の詳細ついては、下記に説明する。
【０２１４】
（ディスクドライブ部３３０ｂ）
ディスクドライブ部３３０ｂは、光ディスクを装着可能なトレイを複数備えている、いわゆるオートチェンジャー機能付きのディスクドライブ部である。そのため、ディスクドライブ部３３０ｂでは、光ディスクに対するデータアクセス処理の実行に先立って、その光ディスクをデータアクセス可能な状態にセットする動作を行う。
【０２１５】
なお、本実施形態では、ディスクドライブ部３３０ｂに格納されているもののデータアクセスが不可能である状態を「装着」状態と称し、ディスクドライブ部３３０ｂにおいてデータアクセスが可能な状態を「装填」状態と称する。
【０２１６】
（記憶部３４０ｂ）
記憶部３４０ｂは、レコーダ装置１００ｂにおいて光ディスクに対して記録するコンテンツデータなどのデータを記憶するデータメモリである。記憶部３４０ｂに記録されているより詳細な情報については、参照する図面を図２４（ａ）および（ｂ）ならびに図２５に代えて以下に説明する。
【０２１７】
まず、本実施形態における光ディスクの装着状態を図２４（ａ）および（ｂ）を参照して説明する。図２４は、ディスクドライブ部３３０ｂを備えたレコーダ装置１００ｂにおけるディスクの装着状態を示す図であり、（ａ）はディスクドライブ部３３０ｂにおける光ディスクの装着状態を示しており、（ｂ）は記憶部３４０ｂの各領域と、ディスクドライブ部３３０ｂに装着された光ディスクとの対応付けを示している。
【０２１８】
図２４（ａ）に示すように、本実施形態では、マイディスクとして登録されているディスク１がディスクドライブ部３３０ｂのトレイ２に装着されており、同じくマイディスクとして登録されているディスク２がディスクドライブ部３３０ｂのトレイ４に装着されている。また、トレイ１、３および５には、マイディスクとして登録されていないディスクα、ディスクβおよびディスクγが装着されている。
【０２１９】
ここで、図２４（ｂ）に示すように、ディスク１は記憶部３４０ｂにおける領域１に対応付けられ、ディスク２は記憶部３４０ｂにおける領域２に対応付けられているものとする。この対応付けは、実施形態１における＜光ディスクの登録処理＞の項において説明したため、ここでは説明を省略する。また、ディスクα、ディスクβおよびディスクγは、記憶部３４０ｂにおける予備領域に対応付けられるものとする。なお、予備領域とは、実施形態１においても記載しているように、記憶部３４０ｂを領域１〜領域ｎに仮想的に分割した時に生じる余りの領域である。予備領域を管理するためのエントリ情報の詳細については、参照する図面を図２５に代えて以下に説明する。
【０２２０】
（記憶部３４０ｂにおけるエントリの情報）
図２５は、記憶部３４０ｂのマイディスク管理領域における各エントリに含まれる情報を示す図である。図２５に示すように、領域１を管理するエントリ１には、実施形態１において説明した情報に加えて、トレイ番号（以下、トレイＮｏと称する）を示す情報が登録される。
【０２２１】
「トレイＮｏ」は、メディアＩＤを介して領域１に対応付けられているディスク１がディスクドライブ部３３０ｂのいずれかのトレイに装着された場合に登録される情報である。すなわち、ディスク１がいずれのトレイに装着されているかを示す情報である。すなわち、ディスクドライブ部３３０ｂのトレイに装着された光ディスクのメディアＩＤがいずれかのエントリに登録されている場合（すなわち、装着された光ディスクがマイディスクである場合）には、当該メディアＩＤの登録されているエントリにおけるトレイＮｏに、当該光ディスクの装着されているトレイＮｏが登録される。
【０２２２】
マイディスクがディスクドライブ部３３０ｂのトレイから取り外されると、エントリにおけるトレイＮｏの情報は削除される。すなわち、マイディスクがディスクドライブ部３３０ｂのいずれのトレイにも装着されていない場合には、トレイＮｏには何も登録されない。
【０２２３】
なお、エントリ１およびエントリ２におけるトレイＮｏ以外の情報およびマップ情報の詳細については、実施形態１において説明したものと同様であるため、ここではその説明を省略する。
【０２２４】
次に、光ディスクのメディアＩＤがいずれのエントリにも記録されていない光ディスク（すなわち、マイディスク以外の光ディスク）をディスクドライブ部３３０ｂのトレイに装着した場合について説明する。
【０２２５】
マイディスク以外の光ディスクをディスクドライブ部３３０ｂのトレイに装着した場合には、図２５に示す予備領域エントリに情報が登録されることになる。予備領域エントリに記録されている情報について、図２５を参照しつつ以下に説明する。予備領域エントリにおける、エントリ番号、割り当てエリア情報、ＭＫＢおよびトラック情報については、実施形態１において説明した各領域を管理するエントリにおける情報と同様であるため、ここではその説明を省略する。したがって、ここでは予備領域エントリにおけるトレイＮｏについて説明する。
【０２２６】
「トレイＮｏ」は、マイディスク以外の光ディスクの装着されているトレイを示す情報である。図２５の場合では、図２４（ａ）に示すように、マイディスクに登録されていないディスクα、ディスクβおよびディスクγがトレイ１、トレイ３およびトレイ５に装着されているため、トレイＮｏとしてトレイ１、トレイ３およびトレイ５を示す情報が登録されている。
【０２２７】
予備領域エントリにおけるトレイＮｏの情報は、該当するトレイから光ディスクが取り外されるか、または該当するトレイに装着されている光ディスクを新たにマイディスクとして登録することにより削除される。
【０２２８】
＜レコーダ装置１００ｂにおけるデータの書き込み処理＞
次に、レコーダ装置１００ｂにおけるデータの書き込み処理の詳細について以下に説明する。レコーダ装置１００ｂにおけるデータの書き込み処理は、上述したように、マイディスクに対するデータの書き込み処理と、マイディスク以外の光ディスクに対するデータの書き込み処理の２つに大別することができる。すなわち、レコーダ装置１００ｂにおけるバックエンド部２００（バックエンド制御部２４０）では、マイディスクに対する書き込み命令とマイディスク以外に対する書き込み命令の２種類の書き込み命令をドライブ部３００ｂに対して供給することになる。言い換えれば、ドライブ部３００ｂは、バックエンド部２００から供給される２種類の書き込み命令を処理することができる。
【０２２９】
（マイディスク以外の光ディスクに対するデータの書き込み）
まず、マイディスク以外の光ディスクに対するデータの書き込みについて以下に説明する。初めに、バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたトレイに装着されている光ディスクを装填状態にするようにディスクドライブ部３３０ｂを制御する。
【０２３０】
次に、バックエンド制御部２４０は、光ディスクのアドレスを含む書き込み命令を、書き込み対象データと共にドライブ部３００ｂに供給する。
【０２３１】
命令を受けたドライブ部３００ｂにおけるドライブ制御部３２０ｂは、書き込み対象データを記憶部３４０における予備領域の空き領域に書き込むようにディスクドライブ部３３０ｂを制御する。これと同時に、ドライブ制御部３２０ｂは、指定されたトレイＮｏと、データを書き込むべきディスクαのアドレスと、データを書き込んだ予備領域のアドレスとを互いに関連付けて予備領域エントリにおけるマップ情報に記録されているマップテーブルに登録する。
【０２３２】
また、ドライブ制御部３２０ｂは、書き込み命令に含まれる光ディスクのアドレスに書き込み対象データを書き込むようにディスクドライブ３３０ｂを制御する。
【０２３３】
このように、本実施形態においてマイディスクとして登録されている光ディスク以外にデータを書き込む場合、書き込み対象データは記憶部３４０ｂにおける予備領域および指定されたトレイに装着されている光ディスクの双方に書き込まれる。また、予備領域エントリにおけるマップ情報には、図２５に示すような、トレイＮｏと書き込み対象データの書き込まれるべき光ディスクのアドレスと、書き込み対象データの書き込まれた予備領域のアドレスとを互いに関連付けたマップテーブルが作成されることになる。
【０２３４】
なお、上述した書き込み処理では、バックエンド部２００は、トレイＮｏを指定する命令をドライブ部３００ｂに供給したのち、アドレスおよび書き込み対象データをドライブ部３００ｂに供給する処理を例に挙げて説明しているが、これに限定されるものではない。トレイＮｏを指定する情報（装着部指定情報）とアドレスとを含む書き込み命令を一括して、書き込み対象データと共にドライブ部３００ｂに供給するようにしてもよい。
【０２３５】
ここで、図２５には、マップテーブルの一例として、トレイ１に装着されているディスクαのアドレス「０ｘ０５０」から記録されているコンテンツ１が、記憶部３４０ｂの予備領域のアドレス「０ｘ０００」から記録されており、トレイ３に装着されているディスクβのアドレス「０ｘ０２０」から記録されているコンテンツ２が、記憶部３４０ｂの予備領域のアドレス「０ｘ０３０」から記録されているマップテーブルが示されている。
【０２３６】
このとき、コンテンツ１はディスクαおよび記憶部３４０ｂのいずれにも記録されており、コンテンツ２はディスクβおよび記憶部３４０ｂのいずれにも記録されているため、マップテーブルにおける同期フラグはいずれも同期済みであることを示す「１」となる。
【０２３７】
また、予備領域に記録されているコンテンツ１およびコンテンツ２が実ディスク上においてどのように記録されているのかを、図２５に示したマップテーブルを参照しつつ図２６に示す。図２６は、予備領域におけるコンテンツの記録状態に対応するディスクα、ディスクβおよびディスクγにおけるコンテンツの記録状態の対応関係を模式的に示した図である。
【０２３８】
図２６に示すように、予備領域の「０ｘ０００」から記録されているコンテンツ１は、実ディスク上ではトレイ１に装着されているディスクαにおいてアドレス「０ｘ０５０」から記録されている。また、予備領域の「０ｘ０３０」から記録されているコンテンツ２は、実ディスク上ではトレイ３に装着されているディスクβにおいてアドレス「０ｘ０２０」から記録されている。このように、ディスクα、ディスクβおよびディスクγとトレイＮｏを介して対応付けられている予備領域における仮想ディスクイメージでは、ディスクα、ディスクβおよびディスクγが単一のディスク（以下、ディスクＡと称する）として扱われることになる。
【０２３９】
また、記憶部３４０ｂにおける予備領域に記録されているコンテンツ１およびコンテンツ２は、ディスクαおよびディスクβにも記録されているため、予備領域の空き容量がなくなると新たなデータにより上書きされる。この場合であっても、実施形態１において説明したマイディスクにおけるマップテーブルの場合と同様に、各コンテンツのメモリマップのみが削除され、仮想ディスクマップについてはそのまま残される。すなわち、仮想ディスクイメージ（ディスクＡ）上では、コンテンツ１およびコンテンツ２は削除されない。
【０２４０】
（マイディスクに対するデータの書き込み）
マイディスクに対するデータの書き込み処理については、実施形態１における＜コンテンツの予約録画動作＞の項で説明した処理と同様であるため、本実施形態ではその詳細な説明については省略する。マイディスクに対するデータの書き込み処理において実施形態１と異なる処理についてのみ説明する。
【０２４１】
バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたメディアＩＤの登録されているエントリにトレイＮｏが登録されている場合（すなわち、マイディスクがディスクドライブ部３３０ｂに装着されている場合）、登録されているトレイに装着されている光ディスクを装填状態にするようにディスクドライブ部３３０ｂを制御する。この後の処理は、実施形態１における（マイディスクが装填されている場合の録画処理）の項において説明した処理と同様である。
【０２４２】
一方、指定されたメディアＩＤの登録されているエントリにトレイＮｏが登録されていない場合（すなわち、マイディスクがディスクドライブ部３３０ｂに装着されていない場合）には、実施形態１における（マイディスクが装填されていない場合の録画処理）の項において詳述した処理と同様の処理を実行する。
【０２４３】
＜レコーダ装置１００ｂにおけるデータの読み出し処理＞
続いて、レコーダ装置１００ｂにおけるデータの読み出し処理の詳細について以下に説明する。レコーダ装置１００ｂにおけるデータの読み出し処理は、書き込み処理と同様に、マイディスクに対するデータの読み出し処理と、マイディスク以外の光ディスクに対するデータの読み出し処理の２つに大別することができる。すなわち、レコーダ装置１００ｂにおけるバックエンド部２００（バックエンド制御部２４０）では、書き込み命令と同様に、マイディスクに対する読み出し命令と、マイディスク以外に対する読み出し命令の２種類の読み出し命令をドライブ部３００ｂに対して供給することになる。言い換えれば、ドライブ部３００ｂは、バックエンド部２００から供給される２種類の読み出し命令を処理することができる。
【０２４４】
（マイディスク以外の光ディスクからのデータの読み出し）
まず、マイディスク以外の光ディスクに対するデータの読み出しについて以下に説明する。データの書き込み処理の場合と同様に、バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたトレイに装着されている光ディスクを装填状態にするようにディスクドライブ部３３０ｂを制御する。
【０２４５】
次に、バックエンド制御部２４０は、光ディスクのアドレスを含む読み出し命令をドライブ部３００ｂに供給する。
【０２４６】
命令を受けたドライブ部３００ｂにおけるドライブ制御部３２０ｂは、記憶部３４０ｂの予備領域エントリに記録されているマップテーブルを参照してデータを読み出す。より具体的には、ドライブ制御部３２０ｂは、指定されたトレイＮｏに関連付けられた読み出し命令に含まれる光ディスクのアドレスに、予備領域のアドレスがさらに関連付けられている場合、光ディスクのアドレスから読み換えた予備領域のアドレスに記録されているデータを読み出して、バックエンド部２００に供給するようにディスクドライブ部３３０ｂを制御する。
【０２４７】
指定されたトレイＮｏに関連付けられた読み出し命令に含まれる光ディスクのアドレスに予備領域のアドレスがさらに関連付けられていない場合には、ドライブ制御部３２０ｂは、光ディスクのアドレスに記録されているデータを読み出して、バックエンド部２００に供給するようにディスクドライブ部３３０ｂを制御する。
【０２４８】
これによって、記憶部３４０ｂに読み出し対象となるデータが記録されている場合には、光ディスクよりも迅速に読み出し対象となるデータを読み出すことができる。
【０２４９】
（マイディスクからのデータの読み出し）
マイディスクからのデータの読み出し処理については、実施形態１における＜コンテンツ再生動作＞の項において詳述した処理と同様であるため、本実施形態ではその詳細な説明については省略する。したがって、マイディスクからのデータの読み出し処理において実施形態１と異なる処理についてのみ説明する。
【０２５０】
バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたメディアＩＤの登録されているエントリにトレイＮｏが登録されている場合（すなわち、マイディスクがディスクドライブ部３３０ｂに装着されている状態である場合）、登録されているトレイに装着されている光ディスクを装填状態にするようにディスクドライブ部３３０ｂを制御する。この後は、実施形態１における（マイディスクが装填されている場合の再生処理）の項において説明した処理と同様である。
【０２５１】
一方、指定されたメディアＩＤの登録されているエントリにトレイＮｏが登録されていない場合（すなわち、マイディスクがディスクドライブ部３３０ｂに装着されていない状態である場合）には、実施形態１における（マイディスクが装填されていない場合の再生処理）の項において詳述した処理と同様の処理を実行する。
【０２５２】
（レコーダ装置１００ｂの利点）
本実施形態に係るレコーダ装置１００ｂに備えられた光ディスクドライブ装置（ドライブ部３００ｂ）は、
着脱不可能な記録媒体（記憶部３４０ｂ）を有しており、かつ、光ディスクを装着する装着部を複数備えている光ディスクドライブ装置であって、予め登録された複数の光ディスクのいずれかを指定するディスク指定情報により指定された指定ディスク上の特定の領域に対してデータを書き込む第１の書き込み命令、または、複数の上記装着部のいずれかを指定する装着部指定情報により指定された装着部に装着されている装着ディスク上の特定の領域に対してデータを書き込む第２の書き込み命令を、書き込むべきデータと共に取得するインターフェース（インターフェース部３１０ｂ）と、上記インターフェースが上記第１の書き込み命令を取得したとき、上記データを上記記録媒体に書き込むと共に、当該データを書き込んだ上記記録媒体上の領域を、上記ディスク指定情報および上記指定ディスク上の特定の領域に関連付けて記録する第１の書込手段（ドライブ制御部３２０ｂ）と、上記インターフェースが上記第２の書き込み命令を取得したとき、上記データを上記装着ディスク上の特定の領域に書き込む第２の書込手段（ドライブ制御部３２０ｂ）と、を備えた補助記憶装置である。
【０２５３】
すなわち、レコーダ装置１００ｂに備えられたドライブ部３００ｂでは、マイディスクのいずれかを指定するディスク指定情報により指定された指定ディスク上の特定の領域に対してデータを書き込む書き込み命令（第１の書き込み命令）、および、ディスクドライブ部３３０ｂにおけるトレイのいずれかを指定する情報（装着部指定情報）により指定されたトレイに装着されている装着ディスク上の特定の領域に対してデータを書き込む書き込み命令の２つの書き込み命令（第２の書き込み命令）を処理することができる。
【０２５４】
より具体的には、ドライブ部３００ｂは、第１の書き込み命令を受けたときには、データを書き込んだ記憶部３４０上の領域を、ディスク指定情報および指定ディスク上の特定の領域に関連付けて記録する。一方、第２の書き込み命令を受けたときには、トレイ指定情報とデータを書き込んだ予備領域上の領域と装着ディスク上の特定の領域とを互いに関連付けて記録する。
【０２５５】
これによって、ディスクドライブ部３３０ｂが光ディスクを装着する複数のトレイを有しているドライブ部３００ｂは、マイディスクに対する書き込み処理およびマイディスク以外のディスクに対する書き込み処理のいずれも実行することができる。
【０２５６】
また、ドライブ部３００ｂでは、記憶部３４０に書き込んだデータを指定ディスク上の領域のいずれに書き込むべきであるのかを示す情報を参照することにより、指定ディスクに対するアクセスを記憶部３４０に対するアクセスに読み換えることができる。これによって、ドライブ部３００ｂでは、ディスク指定情報により指定された指定ディスクがディスクドライブ３３０ｂに装着されていない場合であっても、あたかも指定ディスクがディスクドライブ３３０ｂに装着されているかのごとく取り扱うことができる。
【０２５７】
さらに、ドライブ部３００ｂでは、記憶部３４０に書き込んだデータがディスクドライブ部３３０ｂのいずれのトレイに装着されているディスクのいずれの領域に書き込まれているのかを示す情報を参照することにより、装着ディスクに対するアクセスを記憶部３４０に対するアクセスに読み換えることもできる。これによって、ドライブ部３００ｂにデータアクセス命令を供給するバックエンド部２００は、マイディスクとして登録されている光ディスク以外の光ディスクを、あたかも単一のディスクであるかのごとく取り扱うことができる。
【０２５８】
すなわち、ドライブ部３００ｂでは、マイディスクに対しては、常に光ディスクが装填されているかのごとく取り扱うことができ、マイディスク以外の光ディスクに対しては、複数の光ディスクをあたかも単一のディスクであるかのごとく取り扱うことができる。
【０２５９】
また、ドライブ部３００ｂは、上述したデータの書き込み処理だけでなく、データの読み出し処理についてもそれぞれの光ディスクに対応した処理を実行することができる。すなわち、ドライブ部３００ｂは、マイディスクが装填されていない場合であっても、あたかもマイディスクが装填されているかのごとく記憶部３４０に記録されているデータを読み出すことができる。
【０２６０】
すなわち、ドライブ部３００ｂは、物理的な構成としてのディスクチェンジャ機能のみならず、時間軸上におけるディスクチェンジャ機能を備えたドライブ部であると換言することもできる。
【０２６１】
（記憶部２８０に記録されている情報）
ここで、レコーダ装置１００ｂにおけるバックエンド部２００の記憶部２８０に記録されている情報について、図２７を参照しつつ以下に説明する。図２７は、記憶部２８０におけるタイトル管理領域およびファイルシステム管理領域に記録されている情報を模式的に示す図である。
【０２６２】
レコーダ装置１５０の記憶部２８０は、実施形態１のレコーダ装置１００と同様に、タイトル管理領域およびファイルシステム管理領域を有している。
【０２６３】
図２７に示すように、タイトル管理領域には、マイディスクとして登録されているディスク１およびディスク２のタイトル管理テーブルと共に、ディスクＡのタイトル管理テーブルが記録されている。ディスクＡは、ディスクα、ディスクβおよびディスクγを仮想的に単一のディスクとして表したディスクである。したがって、ディスクＡのタイトル管理テーブルには、ディスクαに記録されているコンテンツ１を示すタイトル１およびディスクβに記録されているコンテンツ２を示すタイトル２に関する情報が記録されている。ディスクＡのタイトル管理テーブルも、実施形態１において説明したマイディスクのタイトル管理テーブルと同様に、ディスクＡに記録されているコンテンツを示すタイトル表示などの処理において用いられる。
【０２６４】
なお、マイディスクとして登録されている光ディスクのタイトル管理テーブルについては実施形態１において説明したため、ここではその説明を省略する。
【０２６５】
また、図２７に示すように、ファイルシステム管理領域には、マイディスクとして登録されているディスク１およびディスク２に関するファイルシステムと共に、ディスクＡに関するファイルシステムが記録されている。ディスクＡは、トレイ１に装着されたディスクα、トレイ３に装着されたディスクβおよびトレイ５に装着されたディスクγを仮想的に単一の光ディスクとして表したディスクである。したがって、ディスクＡのファイルシステムには、ディスクαに記録されているコンテンツ１の配置情報に対して、コンテンツ１を記録しているディスクαが装着されているトレイＮｏ「１」が関連付けられている。同様に、ディスクβに記録されているコンテンツ２の配置情報に対しては、ディスクβが装着されているトレイＮｏ「３」が関連付けられている。
【０２６６】
これによって、バックエンド部２００では、コンテンツ１を読み出す際には、どのトレイに装着されている光ディスクのいずれのアドレスに対して読み出し命令を供給すればよいのかを把握することができる。また、ディスクＡに対して新たなデータを書き込む際には、どのトレイに装着されている光ディスクのいずれのアドレスに対して書き込み命令を供給すればよいのかを把握することができる。
【０２６７】
ディスクＡのファイルシステムは、ディスクα、ディスクβおよびディスクγをディスクドライブ部３３０ｂに装着した際に取得されるディスクαのファイルシステム、ディスクβのファイルシステムおよびディスクγのファイルシステムから作成される。
【０２６８】
なお、ディスクＡのファイルシステムは、ディスク１およびディスク２のファイルシステムと異なり、ディスクα、ディスクβおよびディスクγのいずれかの光ディスクがディスクドライブ部３３０ｂから取り出された時点で消去される。そして、残された光ディスクから再度取得したファイルシステムから新たなディスクＡのファイルシステムを作成する。また、新たな光ディスクが装着されている場合には、残された光ディスクから再度取得したファイルシステムと新たに装着された光ディスクから取得したファイルシステムとから新たなディスクＡのファイルシステムを作成する。
【０２６９】
なお、マイディスクとして登録されている光ディスクのファイルシステムについては実施形態１において説明したため、ここではその説明を省略する。
【０２７０】
＜マイディスク登録されていない光ディスクを装着した際の表示例＞
次に、マイディスクとして登録されていないディスクα、ディスクβおよびディスクγをそれぞれトレイ１、トレイ３およびトレイ５に装着した際の表示装置５００における表示例を図２８および図２９を参照しつつ以下に説明する。図２８は、ディスクドライブ部３３０ｂにマイディスク登録されていない光ディスクを装着した際の表示例を示す図である。また、図２９は、各トレイに装着されている光ディスクを単一のディスクとした際のディスク容量の表示を示す図である。
【０２７１】
図２８に示すように、レコーダ装置１００ｂは、ディスクドライブ部３３０ｂのトレイに装着された光ディスクのなかにマイディスクとして登録されていない光ディスクがある場合、マイディスクとして登録されていない光ディスクをディスクＡとして取り扱うか否かを選択する表示を表示装置５００に表示する。
【０２７２】
ユーザーは、マイディスクとして登録されている光ディスクのうち、ディスクＡとして取り扱えるようにする光ディスクを指定する。
【０２７３】
なお、このときにユーザーがディスクＡとして取り扱わないとした光ディスクについては、以下に説明する。
【０２７４】
図２８において示した表示画面において、ユーザーがトレイ１に装着されているディスクα、トレイ３に装着されているディスクβおよびトレイ５に装着されているディスクγをディスクＡとして取り扱うことを選択すると、図２９に示す表示が表示装置５００に表示される。図２９には、トレイ１、トレイ３およびトレイ５に装着されている光ディスクのデータ容量およびディスクＡのデータ容量が表示されている。
【０２７５】
図２９に示す表示において、ユーザーが「ＯＫ」を選択すると、レコーダ装置１００ｂは、トレイ１、トレイ３およびトレイ５に装着されている光ディスク（ディスクα、ディスクβおよびディスクγ）を仮想的に単一のディスク（ディスクＡ）として取り扱えるようにする。言い換えれば、バックエンド部２００では、ユーザーの指定した光ディスクに基づいて、図２７に示したディスクＡのファイルシステムを作成する。すなわち、バックエンド部２００は、トレイ１、トレイ３およびトレイ５に装着されている光ディスクから取得したファイルシステムからディスクＡのファイルシステムを作成する。これによって、バックエンド部２００は、トレイ１、トレイ３およびトレイ５に装着されているディスクα、ディスクβおよびディスクγを単一のディスクＡとして取り扱うことができるようになる。
【０２７６】
＜単一ディスクとして取り扱わない場合のデータアクセス処理＞
最後に、マイディスクとして登録されていない光ディスク単一ディスク（ディスクＡ）として取り扱わない場合のデータアクセス処理について説明する。
【０２７７】
マイディスクとして登録されていない光ディスクであって、単一ディスクとして取り扱わない光ディスクに対してデータを書き込む場合、初めに、バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたトレイに装着されている光ディスクを装填状態にするようにディスクドライブ部３３０ｂを制御する。
【０２７８】
次に、バックエンド制御部２４０は、光ディスクのアドレスを含む書き込み命令を、書き込み対象データと共にドライブ部３００ｂに供給する。バックエンド部２００からの指示を受けたドライブ部３００ｂにおけるドライブ制御部３２０ｂは、書き込み命令に含まれる光ディスクのアドレスに書き込み対象データを書き込むようにディスクドライブ３３０ｂを制御する。
【０２７９】
また、光ディスクからデータを読み出す場合には、バックエンド制御部２４０は、指定されたトレイＮｏに装着されている光ディスクを装填状態にする命令をドライブ部３００ｂに対して供給する。命令を受けたドライブ部３００ｂにおけるドライブ制御部３２０ｂは、指定されたトレイに装着されている光ディスクを装填状態にするようにディスクドライブ部３３０ｂを制御する。
【０２８０】
次に、バックエンド制御部２４０は、光ディスクのアドレスを含む読み出し命令をドライブ部３００ｂに供給する。命令を受けたドライブ部３００ｂにおけるドライブ制御部３２０ｂは、光ディスクのアドレスに記録されているデータを読み出して、バックエンド部２００に供給するようにディスクドライブ部３３０ｂを制御する。
【０２８１】
このとき、単一ディスクとして取り扱わない光ディスクのファイルシステムは、記憶部２８０のファイルシステム管理領域にマイディスクのファイルシステムおよび単一ディスクのファイルシステムとは別に記録されることになる。
【０２８２】
（プログラムおよび記録媒体）
レコーダ装置１００に含まれているバックエンド制御部２４０およびドライブ制御部３２０は、ハードウェアロジックによって構成すればよい。または、次のように、ＣＰＵ（Central Processing Unit）を用いてソフトウェアによって実現してもよい。
【０２８３】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２８４】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０２８５】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２８６】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２８７】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２８８】
なお、レコーダ装置１００はレコーダ装置１００ｂ、ドライブ制御部３２０はドライブ制御部３２０ｂと読み換えることもできる。
【０２８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２９０】
本発明に係るドライブ装置は、ＢＤドライブ、ＤＶＤドライブまたはＣＤドライブとして好適に利用することができる。本発明に係るコンテンツ記録再生装置は、ＢＤレコーダまたはＤＶＤレコーダとして好適に利用することができる。また、本発明に係るコンテンツ記録再生装置は、テレビジョン受像機に搭載する場合であっても好適に利用することができる。
【符号の説明】
【０２９１】
１００      レコーダ装置
１００ｂ    レコーダ装置（コンテンツ記録再生装置）
２００      バックエンド部
２１０      チューナー部
２２０      エンコーダ部
２３０      ストリーム処理部
２４０      バックエンド制御部
２５０      バッファ部
２６０      デコーダ部
２７０      画像処理部
２８０      記憶部
２９０      インターフェース部
３００      ドライブ部
３００ｂ    ドライブ部（ドライブ装置）
３１０      インターフェース部
３１０ｂ    インターフェース部
３２０      ドライブ制御部
３２０ｂ    ドライブ制御部（第１の書込手段、第２の書込手段、同期手段、第１の読出手段、第２の読出手段）
３３０      ディスクドライブ部
３３０ｂ    ディスクドライブ部
３４０      記憶部
３４０ｂ    記憶部（着脱不可能な記録媒体）
５００      表示装置
【図１】
2010238342.tif 000003
【図２】
2010238342.tif 000004
【図３】
2010238342.tif 000005
【図４】
2010238342.tif 000006
【図５】
2010238342.tif 000007
【図６】
2010238342.tif 000008
【図７】
2010238342.tif 000009
【図８】
2010238342.tif 000010
【図９】
2010238342.tif 000011
【図１０】
2010238342.tif 000012
【図１１】
2010238342.tif 000013
【図１２】
2010238342.tif 000014
【図１３】
2010238342.tif 000015
【図１４】
2010238342.tif 000016
【図１５】
2010238342.tif 000017
【図１６】
2010238342.tif 000018
【図１７】
2010238342.tif 000019
【図１８】
2010238342.tif 000020
【図１９】
2010238342.tif 000021
【図２０】
2010238342.tif 000022
【図２１】
2010238342.tif 000023
【図２２】
2010238342.tif 000024
【図２３】
2010238342.tif 000025
【図２４】
2010238342.tif 000026
【図２５】
2010238342.tif 000027
【図２６】
2010238342.tif 000028
【図２７】
2010238342.tif 000029
【図２８】
2010238342.tif 000030
【図２９】
2010238342.tif 000031